(57)【要約】【課題】確実なシールが行なえ、簡単な動作で数種類の添加物を添加、混合できる混合栓を提案する。【解決手段】混合栓を、容器の口部につながる開口1aを有し該口部に着脱自在に固定保持される基体１と、この基体１の天面部において起立し該開口1aを経て容器内の内容物を外界へ排出する単一の環状体２と、この環状体２の外壁にて着脱可能に係合して容器の口部を密閉するカバーキャップ３と、前記基体１の開口1aを閉塞させるシール材７を備えたものにて構成する。そして、前記カバーキャップ３に、容器の口部に指向する開口4aを有しその内側に種類の異なる添加物を収納した複数の密閉収納室5a、5bを備えた筒体４を設け、前記基体１及び筒体４に、カバーキャップ３の基体１へ向う移動にて前記密閉収納空間5a、5bおよびシール材６をそれぞれ開封して密閉収納空間5a、5b内の添加物を容器の口部を通して容器内に落下させる開封部材８、９を設ける。【選択図】図１
2007062768.tif 000002
【特許請求の範囲】
【請求項１】
容器の口部につながる開口を有し該口部に着脱自在に固定保持される基体と、この基体の天面部において起立し該開口を経て容器内の内容物を外界へ排出する単一の環状体と、この環状体の外壁にて着脱可能に係合して容器の口部を密閉するカバーキャップと、前記基体の開口を閉塞させるシール材を備え、
前記カバーキャップに、容器の口部に指向する開口を有しその内側に種類の異なる添加物を収納した複数の密閉収納室を備えた筒体を設け、
前記基体及び筒体に、カバーキャップの基体へ向う移動にて前記密閉収納空間およびシール材をそれぞれ開封して収納空間内の添加物を容器の口部を通して容器内に落下させる開封部材を設けたことを特徴とする混合栓。
【請求項２】
前記開封部材が、カッター若しくは押圧片である、請求項１記載の混合栓。  
【請求項３】
前記カバーキャップと基体とを、それらの周りに引きちぎり可能に配置されたバージンバンドを介して相互に連結してなる請求項１又は２記載の混合栓。
【請求項４】
前記密閉収納室が、筒体とは別体になるポーションカップである、請求項１〜３の何れかに記載の混合栓。
【請求項５】
前記ポーションカップは、各密閉収納室を単一のフランジにて連結した一体型、もしくは、各収納部がそれぞれ独立した分離型よりなる、請求項４に記載の混合栓。  
【請求項６】
前記筒体は、その内側を区画する仕切り壁を有する、請求項１〜４の何れかに記載の混合栓。
【発明の詳細な説明】
【技術分野】
【０００１】
本発明は、容器の開封に際してフレーバーやその他の粉末あるいは液体を容器本体内に充填した内容物に添加、混合するのに好適な混合栓に関するものである。
【背景技術】
【０００２】
容器を開封するに際して容器本体に充填した内容物に別途設けた収納空間から添加物を落下させて使用に供する混合タイプの容器は、飲料や薬剤あるいは化粧料を充填する容器において数多く採用されているが、従来のこの種の容器は、１種類の添加物を添加するのが普通で適用範囲も極めて限定的なものであった（例えば特許文献１参照）。
【特許文献１】実用新案登録第2598170号公報
【発明の開示】
【発明が解決しようとする課題】
【０００３】
本発明の課題は、数種類の添加物を収納できる新規な混合栓を提案するところにある。
【課題を解決するための手段】
【０００４】
本発明は、容器の口部につながる開口を有し該口部に着脱自在に固定保持される基体と、この基体の天面部において起立し該開口を経て容器内の内容物を外界へ排出する単一の環状体と、この環状体の外壁にて着脱可能に係合して容器の口部を密閉するカバーキャップと、前記基体の開口を閉塞させるシール材を備え、
前記カバーキャップに、容器の口部に指向する開口を有しその内側に種類の異なる添加物を収納した複数の密閉収納室を備えた筒体を設け、
前記基体及び筒体に、カバーキャップの基体へ向う移動にて前記密閉収納空間およびシール材をそれぞれ開封して収納空間内の添加物を容器の口部を通して容器内に落下させる開封部材を設けたことを特徴とする混合栓である。
【０００５】
上記の構成になる混合栓において、開封部材はカッターあるいは押圧片とするのが望ましい。前記カバーキャップと基体とは、それらの周りに引きちぎり可能に配置されたバージンバンドを介して相互に連結することができる。
【０００６】
また、前記密閉収納室は、筒体とは別体になるポーションカップを適用することができ、該ポーションカップとしては、各密閉収納室を単一のフランジにて連結した一体型、もしくは、各収納部がそれぞれ分離独立した分離型を配置するのが好ましい。
【０００７】
前記筒体には、その内側を区画する仕切り壁を設けるのが望ましい。
【発明の効果】
【０００８】
基体の開口をシール材にて閉塞させ、添加物を収納する収納室を密閉した二重のシール構造としたのでシール性が著しく改善される。また、内容物の充填過程では、内容物を充填したのち容器本体の口部に別途にシール材を貼付する必要があるが、基体のシール材を容器本体の口部におけるシール材として機能させることができるので、工程の簡略化が可能となる。
【０００９】
収納室を２以上の領域に区画することが可能であり、多様な用途に適用できる。さらに、シール材及び収納室の開封は、カバーキャップをねじ込むか、容器の口部へ向けてスライドさせるだけでよい。
【発明を実施するための最良の形態】
【００１０】
以下、図面を用いて本発明をより具体的に説明する。
図１は本発明に従う混合栓の実施の形態を分解状態で示した外観斜視図であり、図２は組込み状態における断面を示した図である。
【００１１】
図において１は容器の口部（口部は図示せず）にねじ込みあるいはアンダーカットによって着脱自在に固定保持される基体である。この基体１はその中央部に容器の口部につながる開口1aを有している（図２参照）。
【００１２】
また、２は基体１の天面部において起立し、開口1aを経て容器内の内容物を外界へ排出する単一の環状体である。この環状体２は基体１とは別体構造にできるが図示の如く一体成形としたものがとくに好ましい。
【００１３】
さらに、３は環状体２の外壁にてねじあるいはアンダーカット等の係合手段にて着脱自在に係合して容器の口部を密封するカバーキャップ、４はカバーキャップ３の内側に設けられた筒体である。この筒体４は容器の口部に指向する開口4aを有する（図２参照）。
【００１４】
５は筒体４の内側にアンダーカットｃの如き係合部にて固定保持されたポーションカップである。このポーションカップ５は２種類の添加物を収納する密閉収納室5a、5bを有しておりそれらを単一のフランジ5cにて連結した一体型として示してある。
【００１５】
６はポーションカップ５の口部に貼着されたフィルム状のシール材（接着剤や熱融着等により貼着）（図２参照）、７は基体１の開口1aを閉塞させるフィルム状のシール部材（接着剤や熱融着等により貼着）（図２参照）、８は基体１の開口1aの縁部に設けられた開封部材である。この開封部材８は刃先を上向きにしたカッターとして示してあり、ポーションカップ５のシール材６を切り裂くのに使用される。
【００１６】
９は筒体４の開口4aの端部に設けられた開封部材である。この開封部材９は先細りになる先端をシール材７に向けた押圧片として示してあり、該シール材７を押し切りするのに使用され、開封部材８の基部8aの上に載置された状態で組み込まれる（開封部材９の先端を開封部材８の基部8aの上に位置した状態に組み込んでおくとバージンバンドが意に反して外れるようなことがあってもカバーキャップ３が回動しない限り下向にスライドすることがなくストッパーとして機能する）。
【００１７】
10はカバーキャップ３の内側を区画する仕切り壁、そして、11はカバーキャップ３と基体１とを連結するバージンバンドである。
【００１８】
バージンバンド11を引きちぎるとカバーキャップ３は図２に示す如く、寸法ｔの範囲で下向（容器の口部に近づく向き）にスライドさせることができ、該カバーキャップ３を回動させるとともにスライドさせることでシール材６、シール材７の切り裂きと押し切りを行う。
【００１９】
開封部材８とシール部材６の位置関係を図３に、また、シール部材６のカット状況を図４にそれぞれ示す。開封部材９によるシール部材７の押し切りもシール部材６とほぼ同様の状態となる。
【００２０】
図５は基体１に蓋体12を脱落可能に配置して開口1aを閉塞させた本発明に従う他の実施の形態を示したものである。蓋体12は融着あるいはアンダーカット等により係合させておくことができ、開封部材９にて該蓋体12を押圧することで容器内へ落下させる。
【００２１】
ポーションカップ５は一体型として示したが、図６に示すような分離型（２体型を例示してあるが、３体型、４体型でもよい）あってもよくこの点については限定されない。
【００２２】
ポーションカップ５を筒体４の内側において確実に固定保持するため、密閉収納室の数に併せて仕切り壁10を設けるのがよい。
【００２３】
本発明に従う混合栓はあらゆる用途に適用できるものであって特定の分野での使途には限定されない。例えば、密閉収納室5a、5bにそれぞれ酸性分、炭酸成分を収納しておき、容器の開封時に容器本体に充填した液体（水）に酸性分、炭酸成分をそれぞれ添加することで炭酸飲料とすることができる。この場合、容器の開封時に初めて炭酸ガスが発生することになるので商品の流通時に容器に内圧がかかることがない（内圧がかかった状態で落下等の衝撃を受けた場合に容器が破損するおそれがある）うえ、新味な状態（気が抜けない）で炭酸飲料を口にすることができる利点がある。
【００２４】
炭酸飲料を対象とする場合の酸性分としては、クエン酸、アスコルビン酸、コハク酸、乳酸、硫酸アルミニウム（焼きミョウバン）等があり、炭酸成分としては、炭酸水素ナトリウム（重曹）、炭酸ナトリウム、炭酸水素アンモニウム、炭酸カルシウム、炭酸カリウム、炭酸アンモニウム等がある。
【００２５】
密閉収納室を２つ備えた上掲図１に示した混合栓は以下の(a)〜(c)のような使い方が考えられるが、種類の異なる添加物を混合して密閉収納室に収納しておくことも可能であり、各密閉収納室に単一の添加物を収納するか、種類の異なるものを２種以上混合して収納するかは用途等に応じて自由に選択される。
【００２６】
(a)一方の密閉収納室5aに酸性分を、もう一方の密閉収納室5bに炭酸成分を収納し容器本体には水等の液体を充填する。
(b)一方の密閉収納室5aにフレーバーを、もう一方の密閉収納室5bに炭酸成分を収納し、容器本体には、酸性分を含有する液体を充填する。
(c)一方の密閉収納室5aにフレーバーを、もう一方の密閉収納室5bに種類の異なるフレーバーを収納し、容器本体には液体を充填する。
【００２７】
上記(a)(b)はとくに炭酸飲料を対象としたものであって、消費時の状況を考慮し容器本体はある程度の耐圧性を有するものを適用する。
【００２８】
密閉収納室5a、5bはポーションカップ５を用いることによって形成することができるが、筒体４の内側に仕切り壁10を利用して直接形成してもよく、この点についても限定はされない。
【産業上の利用可能性】
【００２９】
数種類の添加物を確実なシール状態のもとで収納できる混合栓が提供できる。
【図面の簡単な説明】
【００３０】
【図１】本発明に従う混合栓の実施の形態を分解状態で示した外観斜視図である。
【図２】図１に示した混合栓の組込み状態における断面図である。
【図３】開封部材とシール部材の位置関係を示した図である。
【図４】シール部材のカット状況を示した図である。
【図５】本発明に従う混合栓の他の例を示した図である。
【図６】ポーションカップの他の例を示した図である。
【符号の説明】
【００３１】
１  基体
1a  開口
２  単一の環状体
３  カバーキャップ
４  筒体
4a  開口
５  ポーションカップ
5a  密閉収納室
5b  密閉収納室
5c  フランジ
６  シール部材
７  シール部材
８  開封部材
8a  基部
９  開封部材
10  仕切り壁
11  バージンバンド
12  蓋体
【図１】
2007062768.tif 000003
【図２】
2007062768.tif 000004
【図３】
2007062768.tif 000005
【図４】
2007062768.tif 000006
【図５】
2007062768.tif 000007
【図６】
2007062768.tif 000008
【手続補正書】
【提出日】平成17年8月31日(2005.8.31)
【手続補正１】
【補正対象書類名】図面
【補正対象項目名】図２
【補正方法】変更
【補正の内容】
【図２】
2007062768.tif 000009
【手続補正２】
【補正対象書類名】図面
【補正対象項目名】図５
【補正方法】変更
【補正の内容】
【図５】
2007062768.tif 000010